(57)【特許請求の範囲】
【請求項１】
原稿の画像を読み取る読み取り部と、
前記読み取り部により読み取られた画像に含まれている当該画像の出力禁止を表す禁止情報と当該画像の出力禁止を解除するためのコード情報とを検出する検出部と、
複数のパスワードを受け付ける受付部と、
前記検出部により検出されたコード情報が前記受付部により受け付けられたいずれかのパスワードと一致するか否かの判定を行う判定部と、
前記判定部による判定がいずれかのパスワードと一致することである場合に出力禁止の画像の出力を指示する制御部と、
を含む画像読み取り装置。
【請求項２】
前記判定部は、前記読み取り部により読み取られた画像ごとの判定を行うことを特徴とする請求項１に記載の画像読み取り装置。
【請求項３】
前記検出部により検出されたコード情報が前記受付部により受け付けられたパスワードのいずれにも一致しないことを前記判定部が判定したときにユーザに判定結果を通知する通知部を更に含むことを特徴とする請求項１に記載の画像読み取り装置。
【請求項４】
前記受付部は、前記読み取り部により原稿の画像が読み取られる前に複数のパスワードを受け付けることを特徴とする請求項１に記載の画像読み取り装置。
【請求項５】
前記読み取り部は、両面を同時に読み取ることができるものであることを特徴とする請求項１に記載の画像読み取り装置。
【請求項６】
取得した複数の画像の各々に含まれている当該画像の出力禁止を表す禁止情報を検出すると共に当該画像の出力禁止を解除するためのコード情報を検出する検出部と、
複数のパスワードを受け付ける受付部と、
前記検出部により禁止情報及びコード情報が検出された出力禁止画像について当該出力禁止画像のコード情報が前記受付部により受け付けられたいずれかのパスワードと一致するか否かを判定する判定部と、
出力禁止画像のうち前記判定部によりコード情報がパスワードと一致するとの判定がなされたものを出力する画像出力部と、
を含む画像形成装置。
【請求項７】
前記画像出力部は、前記判定部によりコード情報がパスワードと一致しないとの判定がなされた出力禁止画像を出力することなく、当該出力禁止画像が出力されることになっていた部分を画像不出力領域とすることを特徴とする請求項６に記載の画像形成装置。
【請求項８】
前記画像出力部は、前記判定部によりコード情報がいずれのパスワードにも一致しないとの判定がなされた出力禁止画像を出力する代わりに、画像出力が禁止されたことを示す代用画像を出力することを特徴とする請求項６に記載の画像形成装置。
【請求項９】
前記画像出力部は、前記判定部によりコード情報がいずれのパスワードにも一致しないとの判定がなされた出力禁止画像を出力することなく、当該出力禁止画像が出力されることになっていた部分に次の出力すべき画像を出力することを特徴とする請求項６に記載の画像形成装置。
【請求項１０】
出力禁止画像について前記判定部によりコード情報がいずれのパスワードにも一致しないとの判定がなされ、当該出力禁止画像が出力されない場合に、当該出力禁止画像が出力されることになっていた部分を画像不出力領域とするか、又は当該部分に次の出力すべき画像を出力するかの選択を受け付ける選択受付部を更に含み、前記画像出力部は、当該選択受付部が受け付けた選択に基づいて処理することを特徴とする請求項６に記載の画像形成装置。
【請求項１１】
出力禁止画像について前記判定部によりコード情報がいずれのパスワードにも一致しないとの判定がなされ、当該出力禁止画像が出力されない場合に、当該出力禁止画像が出力されることになっていた部分を画像不出力領域とするか、当該部分に画像出力が禁止されたことを示す代用画像にするか、又は当該部分に次の出力すべき画像を出力するかの選択を受け付ける選択受付部を更に含み、前記画像出力部は、当該選択受付部が受け付けた選択に基づいて処理することを特徴とする請求項６に記載の画像形成装置。
【請求項１２】
前記画像出力部は、用紙の両面に画像を出力することができるものであることを特徴とする請求項６に記載の画像形成装置。
【請求項１３】
原稿の表面の画像を読み取る際に裏面の画像も読み取る読み取りステップと、
前記読み取りステップにより読み取られた画像に含まれている当該画像の複写禁止を表す禁止情報及び当該画像の複写禁止を解除するためのコード情報を検出する検出ステップと、
ユーザから複数のパスワードを受け付ける受け付けステップと、
前記検出ステップにより禁止情報及びコード情報が検出された複写禁止画像についてコード情報と前記受け付けステップにより受け付けられた複数のパスワードの各々との照合を原稿の片面ずつについて行う照合ステップと、
前記照合ステップにおいてコード情報が複数のパスワードのいずれかに一致する複写禁止画像を用紙に両面複写し、コード情報が複数のパスワードのいずれにも一致しない複写禁止画像を複写しない複写ステップと、
を含む複写方法。
【請求項１４】
コード情報がパスワードと一致しないときにユーザに照合結果を通知する通知ステップと、
前記通知ステップにより通知した後に入力されるパスワードを再度受け付ける再受け付けステップと、
コード情報と前記再受け付けステップにより受け付けられたパスワードとの再照合を行う再照合ステップと、
を含み、前記通知ステップ、前記再受け付けステップ及び再照合ステップが複数回行われたときには、該当する複写禁止画像を消去することを特徴とする請求項１３に記載の複写方法。
【請求項１５】
前記再受け付けステップにおいてパスワードの再受け付けが行われないときには、前記読み取りステップにより読み取られた複写禁止画像を消去することを特徴とする請求項１４に記載の複写方法。
【請求項１６】
前記複写ステップにおいて、コード情報が複数のパスワードのいずれにも一致しない複写禁止画像が出力されることになっていた用紙の面を画像不複写領域とすることを特徴とする請求項１３に記載の複写方法。
【請求項１７】
前記複写ステップにおいて、コード情報が複数のパスワードのいずれにも一致しない複写禁止画像が出力されることになっていた用紙の面に次の複写すべき画像を複写することを特徴とする請求項１３に記載の複写方法。
【発明の詳細な説明】
【技術分野】
【０００１】
本発明は、複写機、ファクシミリ、スキャナなどに用いられる画像読み取り装置等に関するものである。
【背景技術】
【０００２】
近年、パーソナルコンピュータ、プリンタ、スキャナや複写機などの普及により、複写の禁止を意図している書類であっても容易に複写できてしまうことから、書類上の情報が漏洩してしまうという問題が生じている。
この情報の漏洩を防止するため、無断複写の禁止が要求される書類を印刷するときに文字や図形などの原稿画像とともに複写禁止情報などの特定のパターンを埋め込む技術が提案されている（例えば、特許文献１参照）。
【０００３】
この特許文献１には、複写禁止情報が埋め込まれた書類をスキャナなどの複写装置などで読み取ると、検出手段により複写禁止情報が検出され、その検出結果に応じて出力が制御されることが開示されている。すなわち、ユーザは、コントロールパネルを操作してユーザＩＤ及び暗証番号を入力した後に、文書原稿を画像読み取り部にて読み取る。そして、読み取った原稿画像に条件コードに対応するパターン画像が含まれているか否かの検出処理を行う。検出処理の結果、パターン画像が含まれていないときには、複写動作を中止する。また、パターン画像が含まれているときには、条件コードに含まれるユーザＩＤ及び登録暗証番号が、ユーザが予め入力したユーザＩＤ及び暗証番号と一致するか否かを判断する。一致している場合には複写動作を行い、一致していない場合には複写動作を中止する。このようにして、複写が禁止されている画像の複写が誤って行われることを回避することができる。
【０００４】
【特許文献１】特開２００３−２８０４６９号公報（第１２〜１３頁、図８）
【発明の開示】
【発明が解決しようとする課題】
【０００５】
ところで近年、原稿の読み取り速度を早めるために、一回の搬送で原稿の両面を読み取ることができる両面同時読み取り装置が普及している。このような両面同時読み取り装置について、上述した特許文献１に開示されている技術を用いると、ユーザが望むような複写が行われない場合がある。
【０００６】
例えば、原稿の表面の画像には、複写禁止情報が埋め込まれている一方で、原稿の裏面の画像には、複写禁止情報が埋め込まれていない場合において、表面の画像について、条件コードに含まれるユーザＩＤ及び登録暗証番号が、ユーザが予め入力したユーザＩＤ及び暗証番号と一致しないときには、表面の複写動作のみならず裏面の複写動作も行われない。このように、複写が禁止されている画像の原稿と複写が禁止されていない画像の原稿とが混在している原稿を複写する際には、禁止されていない画像の複写も行われず、ユーザとしては使い勝手の点で問題があった。
【０００７】
また、例えば、原稿の表面の画像及び裏面の画像のいずれもが複写禁止情報が埋め込まれている場合であって、これらの画像の各々に埋め込まれている条件コードが互いに異なる場合にも、特許文献１に開示された技術を用いると、やはり上述した問題と同様の事態が生じてしまう。
このような事態は、両面印刷の原稿を複写する場合のみならず、片面印刷の原稿を複写する場合にも同様の問題が起こり得る。
【０００８】
本発明は、以上のような技術的課題を解決するためになされたものであり、その目的とするところは、複写が禁止されている画像を含む複数の画像を用紙に画像形成する際にユーザが望む内容の画像形成が可能な画像読み取り装置、画像形成装置及び複写方法を提供することにある。
【課題を解決するための手段】
【０００９】
かかる目的のもと、本発明が適用される画像読み取り装置は、原稿の画像を読み取る読み取り部と、読み取り部により読み取られた画像に含まれている画像の出力禁止を表す禁止情報と画像の出力禁止を解除するためのコード情報とを検出する検出部と、複数のパスワードを受け付ける受付部と、検出部により検出されたコード情報が受付部により受け付けられたいずれかのパスワードと一致するか否かの判定を行う判定部と、前記判定部による判定がいずれかのパスワードと一致することである場合に出力禁止の画像の出力を指示する制御部と、を含むものである。
【００１０】
判定部は、読み取り部により読み取られた画像ごとの判定を行うことを特徴とすることができる。また、検出部により検出されたコード情報が受付部により受け付けられたパスワードのいずれにも一致しないことを判定部が判定したときにユーザに判定結果を通知する通知部を更に含むことを特徴とすることができる。また、受付部は、読み取り部により原稿の画像が読み取られる前に複数のパスワードを受け付けることを特徴とすることができる。
読み取り部は、両面を同時に読み取ることができるものであることを特徴とすることができる。
【００１１】
他の観点から捉えると、本発明が適用される画像形成装置は、取得した複数の画像の各々に含まれている画像の出力禁止を表す禁止情報を検出すると共に画像の出力禁止を解除するためのコード情報を検出する検出部と、複数のパスワードを受け付ける受付部と、検出部により禁止情報及びコード情報が検出された出力禁止画像について出力禁止画像のコード情報が受付部により受け付けられたいずれかのパスワードと一致するか否かを判定する判定部と、出力禁止画像のうち判定部によりコード情報がパスワードと一致するとの判定がなされたものを出力する画像出力部と、を含むものである。
【００１２】
画像出力部は、判定部によりコード情報がパスワードと一致しないとの判定がなされた出力禁止画像を出力することなく、出力禁止画像が出力されることになっていた部分を画像不出力領域とすることを特徴とすることができる。また、画像出力部は、出力禁止画像を出力する代わりに、画像出力が禁止されたことを示す代用画像を出力することを特徴とすることができる。また、画像出力部は、出力禁止画像を出力することなく、出力禁止画像が出力されることになっていた部分に次の出力すべき画像を出力することを特徴とすることができる。
【００１３】
また、出力禁止画像について判定部によりコード情報がいずれのパスワードにも一致しないとの判定がなされ、出力禁止画像が出力されない場合に、出力禁止画像が出力されることになっていた部分を画像不出力領域とするか、又はこの部分に次の出力すべき画像を出力するかの選択を受け付ける選択受付部を更に含ませることができる。そして、画像出力部は、選択受付部が受け付けた選択に基づいて処理することを特徴とすることができる。
また、出力禁止画像が出力されない場合に、出力禁止画像が出力されることになっていた部分を画像不出力領域とするか、この部分に画像出力が禁止されたことを示す代用画像にするか、又はこの部分に次の出力すべき画像を出力するかの選択を受け付ける選択受付部を更に含ませることができる。
画像出力部は、用紙の両面に画像を出力することができるものであることを特徴とすることができる。
【００１４】
更に本発明を別の観点から捉えると、本発明が適用される複写方法は、原稿の表面の画像を読み取る際に裏面の画像も読み取る読み取りステップと、読み取りステップにより読み取られた画像に含まれている画像の複写禁止を表す禁止情報及び画像の複写禁止を解除するためのコード情報を検出する検出ステップと、ユーザから複数のパスワードを受け付ける受け付けステップと、検出ステップにより禁止情報及びコード情報が検出された複写禁止画像についてコード情報と受け付けステップにより受け付けられた複数のパスワードの各々との照合を原稿の片面ずつについて行う照合ステップと、照合ステップにおいてコード情報が複数のパスワードのいずれかに一致する複写禁止画像を用紙に両面複写し、コード情報が複数のパスワードのいずれにも一致しない複写禁止画像を複写しない複写ステップと、を含むものである。
【００１５】
コード情報がパスワードと一致しないときにユーザに照合結果を通知する通知ステップと、通知ステップにより通知した後に入力されるパスワードを再度受け付ける再受け付けステップと、コード情報と再受け付けステップにより受け付けられたパスワードとの再照合を行う再照合ステップと、を含むことを特徴とすることができる。そして、通知ステップ、再受け付けステップ及び再照合ステップが複数回行われたときには、該当する複写禁止画像を消去する。この場合には、再受け付けステップにおいてパスワードの再受け付けが行われないときには、読み取りステップにより読み取られた複写禁止画像を消去することを特徴とすることができる。
【００１６】
複写ステップにおいて、コード情報が複数のパスワードのいずれにも一致しない複写禁止画像が出力されることになっていた用紙の面を画像不複写領域とすることを特徴とすることができる。また、複写ステップにおいて、コード情報が複数のパスワードのいずれにも一致しない複写禁止画像が出力されることになっていた用紙の面に次の複写すべき画像を複写することを特徴とすることができる。
【発明の効果】
【００１７】
本発明によれば、複写が禁止されている画像を含む複数の画像を用紙に画像形成する際にユーザが望む内容の画像形成が可能になる。
【発明を実施するための最良の形態】
【００１８】
以下、添付図面を参照して、本発明の実施の形態について詳細に説明する。
図１は、本実施の形態が適用される画像形成装置の全体構成を示す概略構成図である。なお、同図では、装置内部をフロント側（手前側、アウト側）から眺めた状態を示している。
図１に示す画像形成装置は、電子写真方式を用いて用紙に画像を形成する画像形成装置本体１０を備えている。この画像形成装置本体１０は、用紙搬送及び画像形成等に関して装置の全体を制御する画像形成制御部１１を有する。
【００１９】
この画像形成制御部１１には、原稿を読み取って画像データを出力する後述する原稿読み取り装置１２Ａと、画像データを作成し外部に出力するＰＣ等の外部機器１２Ｂと、ユーザに通知すべき内容を表示する表示デバイス（表示画面）とユーザが指示内容を入力するための入力部とを有するＵＩ１２Ｃと、が接続されている。
原稿読み取り装置１２Ａ又は外部機器１２Ｂから画像データが画像形成制御部１１に出力されると、その画像データを用いて、画像形成ユニット１３によりトナー像を形成し、このトナー像を用紙（シート）に転写した後に定着して、プリント画像を出力している。
【００２０】
この画像形成ユニット１３は、トナー像を担持するための感光体ドラム１４と、帯電された感光体ドラム１４を露光する画像書込装置（以下、ＲＯＳという）１５と、ＲＯＳ１５により露光されて形成された感光体ドラム１４上の静電潜像を現像する現像器１６と、を備えている。また、画像形成ユニット１３は、現像器１６により現像され感光体ドラム１４上に担持されたトナー像を用紙に転写する転写ローラ１７と、転写ローラ１７により転写されたトナー像を用紙に定着させる定着器１８と、感光体ドラム１４に残存したトナーを除去回収するクリーナー１９と、を備えている。
【００２１】
画像形成装置本体１０はまた、一連の用紙搬送系を備えており、画像形成装置本体１０の下側には、用紙束が積載される給紙トレイ（積載部）２１，２２，２３，２４を内装している。これら給紙トレイ２１〜２４の各々には、ナジャーローラ（ピックアップローラ、送り出しローラ）２５と、フィードローラ（給紙ローラ）２６と、リタードローラ２７と、が設けられている。ナジャーローラ２５、フィードローラ２６及びリタードローラ２７の各々は、送出部の一部を構成する。また、給紙トレイ２１〜２４の各々には、後述する用紙さばき装置が設けられている。ナジャーローラ２５は、所定のタイミングで上下移動するように構成されている。
一連の用紙搬送系はこのように構成されており、用紙さばき装置が用紙をさばいてナジャーローラ２５、フィードローラ２６及びリタードローラ２７により給紙トレイ２１〜２４から１枚ずつ取り出した用紙を用紙搬送路３１に向けて送り出している。
【００２２】
この用紙搬送路３１には、フィードローラ２６の近傍に設けられた搬送ローラ３２と、画像形成装置本体１０の排出部近傍で用紙の搬送方向を切り換えるゲート３３，３４と、ゲート３３，３４の間に設けられた搬送ローラ３５と、が設けられている。また、用紙搬送路３１には、フェースダウン（記録面を下にした状態）で排出トレイ３６，３７に排出する排出ローラ３８と、フェースアップ（記録面を上にした状態）でフェースアップトレイ３９に排出するフェースアップローラ４０と、が設けられている。
また、用紙に対して両面記録する場合に、片面に記録した用紙を転写部（感光体ドラム１４と転写ローラ１７との当接部）に反転して送るための用紙反転用搬送路４１が設けられている。
また、画像形成装置本体１０の側面には、例えばこれら四段の給紙トレイ２１〜２４に収容されていないサイズや種類のシートを供給するための開閉自在の手差しトレイ４２が設けられている。
【００２３】
このように構成された画像形成装置本体１０の画像形成プロセスについて説明する。画像形成ユニット１３の感光体ドラム１４では、図示しない帯電器によって表面が帯電された後、入力される画像データに基づいてＲＯＳ１５により露光され、静電潜像が形成される。一方、現像器１６では、図示しないトナーボックスからトナーが供給され、現像器１６の内部で撹拌される。感光体ドラム１４上に形成される静電潜像は、現像器１６の例えば現像ローラを介して現像され、感光体ドラム１４上にトナー像が形成される。感光体ドラム１４上に形成されたトナー像は、転写ローラ１７が感光体ドラム１４に当接してなる転写部にて用紙に転写され、定着器１８にて加熱定着されて出力される。一方、転写後に感光体ドラム１４上に残る残留トナーは、クリーナー１９により感光体ドラム１４上から剥ぎ取られて回収される。
なお、画像形成装置としては、白黒の画像形成を行うもののみならず、カラーの画像形成を行うものについても本実施の形態を適用することができる。
【００２４】
図２は、原稿読み取り装置１２Ａを示した図である。この原稿読み取り装置１２Ａは、積載された原稿束から原稿を順次搬送する原稿送り装置５０と、スキャンによって画像を読み込むスキャナ装置９０と、読み込まれた画像信号を処理する処理装置８５と、に大別される。
【００２５】
原稿送り装置５０は、複数枚の原稿からなる原稿束を積載する原稿トレイ５１と、原稿トレイ５１を昇降させるトレイリフタ５２と、を備えている。また、原稿送り装置５０は、トレイリフタ５２により上昇された原稿トレイ５１の原稿を搬送するナジャーロール５３と、ナジャーロール５３により搬送された原稿を更に下流側まで搬送するフィードロール５４と、ナジャーロール５３により供給される原稿を１枚ずつ捌くリタードロール５５と、を備えている。
最初に原稿が搬送される第１搬送路７１には、一枚ずつに捌かれた原稿を下流側のロールまで搬送するテイクアウェイロール５６と、原稿を更に下流側のロールまで搬送すると共にループ作成を行うプレレジロール５７と、一旦、停止した後にタイミングを合わせて回転を再開し、原稿読み取り部に対してレジストレーション調整を施しながら原稿を供給するレジロール５８と、読み込み中の原稿搬送をアシストするプラテンロール５９と、読み込まれた原稿を更に下流に搬送するアウトロール６０と、を備えている。これら各ロールによって原稿送り部が構成されている。また、第１搬送路７１には、搬送される原稿のループ状態に応じて支点を中心として回動するバッフル８１を備えている。更に、プラテンロール５９とアウトロール６０との間には、ＣＩＳ(Contact Image Sensor)８４を備えている。
【００２６】
アウトロール６０の下流側には、第２搬送路７２および第３搬送路７３が設けられている。そして、原稿送り装置５０は、これらの搬送路を切り替える搬送路切替ゲート８２と、読み込みが終了した原稿を積載させる排出トレイ８０と、排出トレイ８０に対して原稿を排出させる第１排出ロール６１と、を備えている。また、原稿送り装置５０は、第３搬送路７３を経由した原稿に対してスイッチバックさせる第４搬送路７４と、第４搬送路７４に設けられ、実際に原稿のスイッチバックを行うインバータロール６２およびインバータピンチロール６３と、を備えている。また、原稿送り装置５０は、第４搬送路７４によってスイッチバックされた原稿を、再度プレレジロール５７等を備える第１搬送路７１に導く第５搬送路７５と、第４搬送路７４によってスイッチバックされた原稿を排出トレイ８０に排出する第６搬送路７６と、を備えている。また、原稿送り装置５０は、第６搬送路７６に設けられ、反転排出される原稿を第１排出ロール６１まで搬送する第２排出ロール６４と、第５搬送路７５および第６搬送路７６の搬送経路を切り替える出口切替ゲート８３と、を備えている。これら第３搬送路７３、第４搬送路７４及び第５搬送路７５によって、反転搬送路が構成されている。
【００２７】
ナジャーロール５３は、待機時にはリフトアップされて退避位置に保持され、原稿搬送時にニップ位置（原稿搬送位置）へ降下して原稿トレイ５１上の最上位の原稿を搬送する。ナジャーロール５３及びフィードロール５４は、フィードクラッチ（図示せず）の連結によって原稿の搬送を行う。プレレジロール５７は、停止しているレジロール５８に原稿先端を突き当ててループを作成する。レジロール５８では、ループ作成時に、レジロール５８に噛み込んだ原稿先端をニップ位置まで戻している。このループが形成されると、バッフル８１は支点を中心として開き、原稿のループを妨げることのないように機能している。また、テイクアウェイロール５６及びプレレジロール５７は、読み込み中におけるループを保持している。このループ形成によって、読み込みタイミングの調整が図られ、また、読み込み時における原稿搬送に伴うスキューを抑制して、位置合わせの調整機能を高めることができる。読み込みの開始タイミングに合わせて、停止されていたレジロール５８が回転を開始し、プラテンロール５９によって、後述する第２プラテンガラス９２Ｂに押圧されて、下面方向から画像データが読み込まれる。
【００２８】
搬送路切替ゲート８２は、片面原稿の読み取り終了時および両面原稿の両面同時読み取りの終了時に、アウトロール６０を経由した原稿を第２搬送路７２に導き、排出トレイ８０に排出するように切り替えられる。一方、この搬送路切替ゲート８２は、両面原稿の順次読み取り時には、原稿を反転させるために、第３搬送路７３に原稿を導くように切り替えられる。インバータピンチロール６３は、両面原稿の順次読み取り時に、図示しないフィードクラッチがオフの状態でリトラクトされてニップが開放され、原稿をインバータパス（第４搬送路７４）へ導いている。その後、このインバータピンチロール６３はニップされ、インバータロール６２によってインバートする原稿をプレレジロール５７へ導き、また、反転排出する原稿を第６搬送路７６の第２排出ロール６４まで搬送している。
【００２９】
スキャナ装置９０は、上述した原稿送り装置５０を装置フレーム９１によって支えている。そして、原稿送り装置５０によって搬送された原稿の画像読み取りを行っている。このように構成されたスキャナ装置９０は、装置フレーム９１に、画像を読み込むべき原稿を静止させた状態で載置する第１プラテンガラス９２Ａと、原稿送り装置５０によって搬送中の原稿を読み取るための光の開口部を形成する第２プラテンガラス９２Ｂと、が設けられている。
なお、本実施の形態では、スキャナ装置９０に対して原稿送り装置５０が奥側を支点に揺動自在に取り付けられており、第１プラテンガラス９２Ａ上に原稿をセットする際には、原稿送り装置５０を持ち上げて原稿を載置し、その後、原稿送り装置５０をスキャナ装置９０側に降ろして押し付けるようになっている。
【００３０】
また、スキャナ装置９０は、第２プラテンガラス９２Ｂの下に静止し、第１プラテンガラス９２Ａの全体に亘ってスキャンして画像を読み込むフルレートキャリッジ９３と、フルレートキャリッジ９３から得られた光を像結合部へ提供するハーフレートキャリッジ９５と、を備えている。フルレートキャリッジ９３には、原稿に光を照射する照明ランプ９４と、原稿から得られた反射光を受光する第１ミラー９６Ａと、が備えられている。更に、ハーフレートキャリッジ９５には、第１ミラー９６Ａから得られた光を結像部へ提供する第２ミラー９６Ｂおよび第３ミラー９６Ｃが備えられている。更に、スキャナ装置９０は、第３ミラー９６Ｃから得られた光学像を光学的に縮小する結像用レンズ９７と、結像用レンズ９７によって結像された光学像を光電変換するＣＣＤ(Charge Coupled Device)イメージセンサ９８と、ＣＣＤイメージセンサ９８を備える駆動基板９９と、を備えている。そして、ＣＣＤイメージセンサ９８によって得られた画像信号は、駆動基板９９を介して処理装置８５に送られる。
【００３１】
ここで、まず、第１プラテンガラス９２Ａに載置された原稿の画像を読み取る場合には、フルレートキャリッジ９３とハーフレートキャリッジ９５とが、２：１の割合でスキャン方向（矢印方向）に移動する。このとき、フルレートキャリッジ９３の照明ランプ９４の光が原稿の被読み取り面に照射されると共に、その原稿からの反射光が第１ミラー９６Ａ、第２ミラー９６Ｂおよび第３ミラー９６Ｃの順に反射されて結像用レンズ９７に導かれる。結像用レンズ９７に導かれた光は、ＣＣＤイメージセンサ９８の受光面に結像される。ＣＣＤイメージセンサ９８は１次元のセンサであり、１ライン分を同時に処理している。このライン方向（スキャンの主走査方向）の１ラインの読み取りが終了すると、主走査方向とは直交する方向（副走査方向）にフルレートキャリッジ９３を移動させ、原稿の次のラインを読み取る。これを原稿サイズ全体に亘って実行することで、１ページの原稿読み取りを完了させる。
【００３２】
一方、第２プラテンガラス９２Ｂは、例えば長尺の板状構造をなす透明なガラスプレートで構成される。原稿送り装置５０によって搬送される原稿がこの第２プラテンガラス９２Ｂの上を通過する。このとき、フルレートキャリッジ９３とハーフレートキャリッジ９５とは、図２に示す実線の位置に停止した状態にある。まず、原稿送り装置５０のプラテンロール５９を経た原稿の１ライン目の反射光が、第１ミラー９６Ａ、第２ミラー９６Ｂおよび第３ミラー９６Ｃを経て結像用レンズ９７にて結像され、ＣＣＤイメージセンサ９８によって画像が読み込まれる。すなわち、ＣＣＤイメージセンサ９８によって主走査方向の１ライン分を同時に処理した後、原稿送り装置５０によって搬送される原稿の次の主走査方向の１ラインが読み込まれる。原稿の先端が第２プラテンガラス９２Ｂの読み取り位置に到達した後、原稿が第２プラテンガラス９２Ｂの読み取り位置を通過することによって、副走査方向に亘って１ページの読み取りが完了する。
【００３３】
本実施の形態では、フルレートキャリッジ９３とハーフレートキャリッジ９５とを停止させ、第２プラテンガラス９２ＢにてＣＣＤイメージセンサ９８により原稿の第１面の読み取りを行う原稿の搬送時に、同時（時間の完全一致ではなく、同一の原稿搬送時程度の意味）にＣＩＳ８４によって、原稿の第２面の読み取りを行うことが可能である。すなわち、ＣＣＤイメージセンサ９８及びＣＩＳ８４を用いて、搬送路への原稿の一度の搬送（１パス）で、この原稿における表裏両面の画像を読み取ることを可能としている。
【００３４】
図３は、処理装置８５を説明するためのブロック図である。
図３に示すように、処理装置８５は、センサ（ＣＣＤイメージセンサ９８およびＣＩＳ８４）から得られた画像情報を処理する信号処理部８６と、ユーザからＵＩ１２Ｃを通じて指示が入力されると共に、信号処理部８６の処理結果について複写禁止か否か等の判断を行う操作制御部８７と、原稿送り装置５０およびスキャナ装置９０の動作を制御するスキャン動作制御部８８と、を備えている。
【００３５】
信号処理部８６は、アナログ信号の処理を行うＡＦＥ(Analog Front End)８６１と、アナログ信号をディジタル信号に変換するＡＤＣ(Analog to Digital Converter)８６２と、ディジタル信号に対してシェーディング補正やオフセット補正等の各種処理を施すディジタル処理部８６３と、を備えている。そして、ディジタル処理部８６３により処理されたディジタル信号は、ホストシステムへ出力され、例えば、プリンタへ画像情報として出力される。
【００３６】
スキャン動作制御部８８は、各種両面読み取りの制御や片面読み取りの制御等を含め、原稿送り装置５０およびスキャナ装置９０の全体を制御する画像読み取りコントロール８８１と、ＣＣＤイメージセンサ９８およびＣＩＳ８４を制御するＣＣＤ／ＣＩＳコントロール８８２と、読み取りタイミングに合わせてＣＩＳ８４の図示しないＬＥＤアレイやフルレートキャリッジ９３の照明ランプ９４を制御するランプコントロール８８３と、を備えている。また、操作制御部８７は、スキャナ装置９０におけるモータのオン／オフなどを行い、フルレートキャリッジ９３とハーフレートキャリッジ９５とのスキャン動作を制御するスキャンコントロール８８４と、原稿送り装置５０におけるモータの制御、各種ロールの動作、フィードクラッチの動作及びゲートの切り替え動作等を制御する搬送機構コントロール８８５と、を備えている。
【００３７】
これらの各種コントロールからは、原稿送り装置５０およびスキャナ装置９０に対して制御信号が出力され、かかる制御信号に基づいて、これらの動作制御が可能となる。画像読み取りコントロール８８１は、ホストシステムからの制御信号や、例えば自動選択読み取り機能に際して検出されるセンサ出力、ＵＩ１２Ｃを通じたユーザからの選択等に基づいて、読み取りモードを設定し、原稿送り装置５０およびスキャナ装置９０を制御している。
【００３８】
図４は、図３に示す操作制御部８７及び図１に示す画像形成制御部１１を説明するためのブロック図である。
図４に示すように、本実施の形態が適用される操作制御部８７は、スキャナ装置９０（図２参照）によって読み取られた画像から複写禁止情報を検出する複写禁止情報検出部８７１と、スキャナ装置９０によって読み取られた画像から条件情報を検出する条件情報検出部８７２と、スキャナ装置９０によって読み取られた画像を格納するページバッファ８７３と、を有する。
【００３９】
また、操作制御部８７は、複写禁止情報検出部８７１、条件情報検出部８７２及びページバッファ８７３に接続された判断部（判定部）８７４と、判断部８７４が受け付けたパスワード（暗証コード）を格納するためのバッファメモリ８７５と、を有する。
バッファメモリ８７５は、複数のパスワードを格納することができるように構成されている。また、判断部８７４は、条件情報検出部８７２により検出された条件情報に表された条件が、予め定められた複製の禁止を解除するための条件を満たしているか否かを判断するためのものである。
【００４０】
一方、画像形成制御部１１は、スキャナ装置９０によって読み取られた画像がページバッファ８７３を通じて入力され、入力された画像に対して所望の画像処理を施す画像処理部１１１と、複製の禁止を解除できなかったときに複写禁止の画像であることを通知するための禁止表示画像（通知画像）を生成する禁止表示画像生成部１１２と、を有する。また、画像形成制御部１１は、画像処理部１１１からの画像と禁止表示画像生成部１１２からの画像とを切替出力する選択部１１３を有する。また、画像形成制御部１１は、画像を出力画像として再生する画像再生部１１４を有する。禁止表示画像生成部１１２で生成される禁止表示画像としては、「複写禁止」という文字からなる画像を用いることができる。
【００４１】
図５は、原稿を複写する際の処理手順を示すフローチャートである。
原稿読み取り装置１２Ａの原稿送り装置５０（図２参照）にセットされた原稿の複写指示がＵＩ１２Ｃ（図３参照）を通じて入力されると、操作制御部８７の判断部８７４（図４参照）は、原稿読み取り装置１２Ａによる画像読み取りが開始される前に、ＵＩ１２Ｃにパスワード入力画面を表示する（ステップ１０１）。そして、ユーザによりＵＩ１２Ｃにパスワードが入力されると、判断部８７４がそのパスワードを受け付け（ステップ１０２）、受け付けたパスワードをバッファメモリ８７５（図４参照）に格納する。その後、判断部８７４により、次のパスワードを入力するか否かがＵＩ１２Ｃに表示される（ステップ１０３）。
【００４２】
ユーザにより次のパスワードの入力があるとの指示を判断部８７４が受け付けたときには、上述したステップ１０１に戻る。このようにして、ユーザは、複写に必要な複数のパスワードを入力することができる。言い換えると、複数のパスワードがバッファメモリ８７５に格納される。
【００４３】
次のパスワードの入力があるとの指示を判断部８７４が受け付けなかったときには、判断部８７４は、図示しないホストシステムを介して、スキャン動作制御部８８の画像読み取りコントロール８８１（図３参照）に対して原稿の読み取り開始を指示する。これにより、原稿読み取り装置１２Ａが作動を開始し、原稿送り装置５０にセットされた原稿の読み取りが行われる（ステップ１０４）。
【００４４】
上述したように、原稿読み取り装置１２Ａは、両面同時読み取りが可能に構成されている。このため、原稿送り装置５０にセットされた原稿の表面の画像及び裏面画像についての読み取りが同時に行われる。読み取られた表面の画像データ及び裏面の画像データは、操作制御部８７のページバッファ８７３（図４参照）に格納されると共に、複写禁止情報検出部８７１及び条件情報検出部８７２に入力される。なお、ページバッファ８７３に格納された画像データは、画像形成制御部１１の画像処理部１１１にて所定の画像処理がなされた後に選択部１１３に送られる。
【００４５】
ここで、複写禁止情報検出部８７１は、入力された画像データのうち表面の画像データについて複写禁止コードの検出処理をして、表面の画像中に複写禁止コードに対応するパターン画像が含まれているかどうかを判定する。すなわち、複写禁止情報検出部８７１により、表面の画像は複写禁止か否かが判定される。そして、判定結果は、複写禁止情報検出部８７１から判断部８７４へ送信される。
【００４６】
また、条件情報検出部８７２は、入力された画像データのうち表面の画像データについて条件コードの検出処理をして、表面の画像におけるパターン画像のデータから条件コード（埋め込みパスワード）を検出し、その検出結果を判断部８７４に送る。すなわち、入力された表面の画像が複写禁止であるときには、条件コードに対応するパターン画像が表面の画像に含まれているので、条件情報検出部８７２は、そのパターン画像から条件コードを検出する処理を行い、その条件コードを判断部８７４に送信する。なお、条件情報検出部８７２が条件コードを検出できなかったときには、その旨が判断部８７４に送信される。
【００４７】
複写禁止情報検出部８７１の判定結果及び条件情報検出部８７２の検出結果を受けて、判断部８７４は、複写禁止情報検出部８７１の判定結果に基づいて、画像読み取り装置１２Ａにより読み取られた表面の画像が複写禁止文書か否かを判断する（ステップ１０５）。そして、判断部８７４は、複写禁止文書であると判断したときには、判断部８７４は、条件情報検出部８７２の検出結果に基づいて、複写禁止文書を複写できる権限を有するパスワードがユーザにより入力されたか否かを判別する。すなわち、条件情報検出部８７２が検出した条件コードが、ユーザにより予め入力してバッファメモリ８７５に格納されている複数のパスワードのいずれかと一致するか否かを判断部８７４が判別する（ステップ１０６）。
【００４８】
表面の画像が複写禁止文書であり、かつ、条件コードが複数のパスワードのいずれかと一致したときには、判断部８７４は、画像形成制御部１１に表面の画像について画像形成を行うことを指示する（ステップ１０７）。すなわち、判断部８７４は、画像処理部１１１により画像処理された画像データを画像再生部１１４に送信することを選択部１１３に指示する。また、判断部８７４は、選択部１１３から送信された画像データを出力画像として再生することを画像再生部１１４に指示する。
なお、表面の画像が複写禁止文書でないときにも、ステップ１０７として説明した処理内容と同一の処理が行われる。
【００４９】
表面の画像が複写禁止文書であり、かつ、条件コードが、バッファメモリ８７５に格納された複数のパスワードのいずれにも一致しないときには、判断部８７４は、禁止表示画像生成部１１２により生成された禁止表示画像を出力することを画像再生部１１４に指示する（ステップ１０８）。すなわち、ユーザは複写禁止文書を複写する権限を有しないとして、複写禁止文書が複写されず、代わりに、用紙の表面には禁止表示画像が出力されることになる。更に説明すると、判断部８７４は、禁止表示画像生成部１１２に禁止表示画像を生成して選択部１１３に送ることを指示する。また、判断部８７４は、画像処理部１１１からの画像ではなく、禁止表示画像生成部１１２からの禁止表示画像を選択して画像再生部１１４に送ることを選択部１１３に指示する。また、判断部８７４は、ページバッファ８７３に格納された該当の複写禁止画像を消去する。
このようにして、表面の画像についての処理が終了する。その後、次に説明するように、裏面の画像についての処理に移行する。
【００５０】
複写禁止情報検出部８７１では、入力された画像データのうち裏面の画像中に複写禁止コードに対応するパターン画像が含まれているかどうかを判定し、その判定結果を判断部８７４に送信する。また、条件情報検出部８７２では、裏面の画像におけるパターン画像のデータから条件コードを検出し、その検出結果を判断部８７４に送信する。
【００５１】
判断部８７４は、表面の画像の場合と同様に、複写禁止情報検出部８７１の判定結果に基づいて、裏面の画像が複写禁止文書か否かを判断する（ステップ１０９）。そして、複写禁止文書のときには、条件情報検出部８７２の検出結果に基づいて、バッファメモリ８７５に格納されている複数のパスワードのいずれかと条件コードとが一致するか否かを判断部８７４が判別する（ステップ１１０）。一致するときには、判断部８７４は、選択部１１３及び画像再生部１１４に指示し、これにより、裏面の画像について画像形成が行われる（ステップ１１１）。一致しないときには、用紙の裏面には、禁止表示画像生成部１１２による禁止表示画像が出力されることになる（ステップ１１２）。
【００５２】
このようにして、両面同時読み取りが行われた表面の画像及び裏面の画像についての処理が終了すると、原稿読み取り装置１２Ａに次の原稿がセットされているか否かを判断する（ステップ１１３）。そして、次の原稿があるときには、ステップ１０４に戻り、次の原稿がないときには、終了する。
【００５３】
図６は、複写禁止画像（出力禁止画像）を含む両面印刷原稿と両面印刷原稿を複写した複写物との関係を説明するための説明図であり、（ａ）は、両面印刷原稿のすべての画像が複写される場合を示し、（ｂ）は、両面印刷原稿の画像のうち複写禁止画像が複写されない場合を示している。
図６の（ａ）及び（ｂ）に示すように、複写したい原稿が３枚で、そのいずれも両面印刷されている。両面印刷原稿の１枚目の表面がＡ、裏面がＢという画像である。また、２枚目の表面がＣ、裏面がＤ、３枚目の表面がＥ、裏面がＦという画像である。そして、２枚目の表面のＣという画像と３枚目の裏面のＦという画像は、複写禁止画像に設定されている。他の画像Ａ，Ｂ，Ｄ，Ｅは、複写禁止画像に設定されていない複写可能画像である。このように、両面印刷原稿には、予め設定された条件コードを用いないと複写することができない複写禁止画像Ｃ，Ｆと、そのような条件コードを用いなくても複写することができる複写可能画像Ａ，Ｂ，Ｄ，Ｅと、が混在している。
また、複写禁止画像Ｃに設定されている条件コードと複写禁止画像Ｆに設定されている条件コードとは、互いに異なるものである。すなわち、複写禁止画像ごとに、設定されている条件コードが違っている。
【００５４】
このような場合において、上述した図５の処理手順によれば、複写禁止画像Ｃのパスワード及び複写禁止画像ＦのパスワードをユーザがＵＩ１２Ｃを通じて入力することができ、入力された複数のパスワードは、操作制御部８７のバッファメモリ８７５（図４参照）に格納される。このため、図６の（ａ）に示すように、設定されている条件コードが互いに異なる複写禁止画像が複数あったとしても、両面印刷原稿のすべての画像について複写することができる。言い換えると、条件コードが複数のパスワードのいずれかと一致するかどうかの比較は、原稿片面ずつに対して行われる。このため、複写禁止画像ごとに異なる条件コードを設定しても対応することができ、必要に応じた秘密保持を確保することができるようになる。
【００５５】
また、複写禁止画像Ｃ，Ｆの条件コードをユーザがＵＩ１２Ｃを通じて入力しなかった場合には、図６の（ｂ）に示すように、複写禁止画像Ｃ，Ｆを複写することができないものの、他の画像である複写可能画像Ａ，Ｂ，Ｄ，Ｅについては複写することができる。すなわち、１枚目の画像Ａ，Ｂを複写した後に、２枚目の表面の複写禁止画像Ｃの条件コードが入力されていないことを理由に画像形成装置の動作が中断し、複写可能画像Ｄ，Ｅについても複写されないという事態を防ぐことができる。このように、複写可能画像Ａ，Ｂ，Ｄ，Ｅをすべて複写することができるので、ユーザの便宜を図りつつ、秘密保持を確保することができる。
【００５６】
〔第１の変形例〕
図７は、複写禁止画像を含む両面印刷原稿と両面印刷原稿を複写した複写物との関係を説明するための第１の変形例に係る説明図である。上述した図６では、画像が複写禁止文書であり、かつ、条件コードが、バッファメモリ８７５（図４参照）に格納された複数のパスワードのいずれにも一致しないときには、複写禁止画像の代わりに、禁止表示画像が用紙の対応する面に出力される場合を説明したが、図７は他の実施形態の場合を示したものである。
【００５７】
画像が複写禁止であり、かつ、条件コードが、バッファメモリ８７５（図４参照）に格納された複数のパスワードのいずれにも一致しないときには、図７に示すように、禁止表示画像の出力ではなく、何も複写されないようにすることも考えられる。具体的には、複写禁止画像Ｃ，Ｆに対応する出力用紙の面については、出力画像がない白紙の状態にしておくことである。言い換えると、複写禁止画像Ｃ，Ｆに対応する出力用紙の面については、画像不出力領域とする。
このようにすることで、操作制御部８７において禁止表示画像生成部１１２及び選択部１１３を省略することができ、また、不要なトナーの消費を抑制することができるので、コスト削減を実現することができる。
【００５８】
〔第２の変形例〕
図８は、複写禁止画像を含む両面印刷原稿と両面印刷原稿を複写した複写物との関係を説明するための第２の変形例に係る説明図である。
画像が複写禁止であり、かつ、条件コードが、バッファメモリ８７５（図４参照）に格納された複数のパスワードのいずれにも一致しないときには、図８に示すように、禁止表示画像の出力や白紙の状態での出力とせずに、次に複写できる画像を出力するものである。すなわち、複写禁止画像Ｃ，Ｆに対応する出力用紙の面をつめて後続の複写できる画像を順に繰り上げた面で複写するものである。更に説明すると、原稿２枚目の表面の画像Ｃは複写できないとして、原稿２枚目の裏面の画像Ｄが、２枚目の表面に複写される。そして、原稿３枚目の表面の画像Ｅが、２枚目の裏面に複写される。なお、原稿３枚目の裏面の画像Ｆは複写できないので、出力用紙は２枚で済む。このように、複写できない画像の対応面をつめて複写するので、表面と裏面とが逆転する場合があるものの、出力用紙の枚数を減らすことができ、コスト削減を図ることができる。
【００５９】
付言すると、図５におけるステップ１０１の前に、画像が複写禁止文書であり、かつ、条件コードが、バッファメモリ８７５（図４参照）に格納された複数のパスワードのいずれにも一致しないときの対応方法について設定することも考えられる。すなわち、複写できない画像があった場合に、禁止表示画像を出力するか、第１の変形例にように白紙のままにするか、第２の変形例のようにつめて複写するかのいずれかを、ＵＩ１２Ｃを通じて予めユーザに選択させるようにすることも考えられる。
【００６０】
〔第３の変形例〕
図９は、第３の変形例に係るＵＩ１２Ｃの表示画面を説明するための説明図である。
画像が複写禁止であり、かつ、条件コードが、バッファメモリ８７５（図４参照）に格納された複数のパスワードのいずれにも一致しないときには、図９に示すように、判断部８７４は、ＵＩ１２Ｃの表示画面を選択画面に移行させる。すなわち、ＵＩ１２Ｃの表示画面には、「禁止表示画像を出力」の選択ボタン１２Ｃ１、「白紙で出力」の選択ボタン１２Ｃ２及び「詰めて出力」の選択ボタン１２Ｃ３が表示される。
【００６１】
「禁止表示画像を出力」がユーザに選択されると、それを判断部（選択受付部）８７４が受け付けると、判断部８７４は、図６の（ｂ）に示す本実施の形態の場合のように制御する。また、「白紙で出力」が選択されると、判断部８７４は、図７に示す第１の変形例の場合のように制御される。また、「詰めて出力」が選択されると、判断部８７４は、図８に示す第２の変形例の場合のように制御される。
【００６２】
このように、複写禁止画像について、条件コードが複数のパスワードのいずれにも一致しないときにどのように処理されるかをユーザが予め選択することができるので、ユーザの使い勝手が向上する。
【００６３】
〔第４の変形例〕
図１０は、第４の変形例における追加の処理手順を示すフローチャートである。図１０に示す処理手順は、図５に示す処理手順の一部に追加されるものである。なお、図１０では、追加される手順を破線で囲んで示している。また、これら追加される手順は、図５のステップ１０６とステップ１０８との間になされるものであり、かつ、図５のステップ１１０とステップ１１２との間になされるものでもあるので、図１０では、説明の便宜上それらをまとめて図示している。
【００６４】
図１０に示すように、ステップ１０６又はステップ１１０において、条件情報検出部８７２（図４参照）が検出した条件コードが、ユーザにより予め入力してバッファメモリ８７５（図４参照）に格納されている複数のパスワードのいずれかと一致するか否かを判断部８７４（図４参照）が判別する。そして、一致しないときには、判断部８７４は、禁止表示画像生成部１１２（図４参照）により生成された禁止表示画像を出力することを画像再生部１１４（図４参照）に指示するステップ１０８又はステップ１１２に移行する前に、次に説明する処理手順を行う。すなわち、次に説明する処理手順は、禁止表示画像出力動作の前処理ということができる。
【００６５】
画像が複写禁止であり、かつ、条件コードが、バッファメモリ８７５（図４参照）に格納された複数のパスワードのいずれにも一致しないときには、判断部８７４は、まず変数ｉを初期化する（ステップ１５１）。その後、判断部８７４は、ＵＩ１２Ｃを通じてその旨を通知する（ステップ１５２）。すなわち、判断部８７４は、ＵＩ１２Ｃを通知画面表示に切り替えて、新たなパスワードの入力をユーザに促すようにする。
【００６６】
ＵＩ１２Ｃを通じて新たなパスワードが入力されると（ステップ１５３）、変数ｉに１を加えた後に（ステップ１５４）、入力されたパスワードを判断部８７４が再受け付けをする（ステップ１５５）。
【００６７】
そして、判断部８７４が条件コードと再受け付けしたパスワードとが一致するか否かの照合を再度行う（ステップ１５６）。再照合の結果、一致するときには、その複写禁止画像を出力する（ステップ１０７，１１１）。その一方で、一致しないときには、判断部８７４は、変数ｉが所定回数Ｎを超えているか否かを判断し（ステップ１５７）、超えていないときには、ステップ１５２に戻る。そして、変数ｉがＮを超えているときには、判断部８７４は、ページバッファ８７３に格納された該当の複写禁止画像を消去する（ステップ１５８）。複写禁止画像を消去した後には、図５及び図１０に示すステップ１０８又はステップ１１２に移行する。
【００６８】
ここで、ステップ１５３においてパスワードの入力が所定時間内になかったときにも、判断部８７４は、ページバッファ８７３に格納された該当の複写禁止画像を消去することになる（ステップ１５８）。
【００６９】
ユーザの入力誤り等の場合も考えられることから、その旨をユーザに通知し、別のパスワードの入力をするように構成するものである。このような構成にすることにより、ユーザにとっての使い勝手を向上させることができる。また、出力しない複写禁止画像は確実に消去されるので、セキュリティが確保される。
【００７０】
なお、ユーザがパスワードを入力するタイミングをユーザが選択できるようにする構成も考えられる。すなわち、本実施の形態のように、ユーザが画像読み取りの後のパスワードの入力を受け付けないようにすること、第４の変形例のように、ユーザが画像読み取りの前に複数のパスワードを入力すると共に複数のパスワードのいずれにも一致しないときにはユーザに複数のパスワードを再入力することができるようにすること、又は、ユーザが画像読み取りの前にはパスワードの入力を受け付けないようにすることのいずれかを、ユーザがＵＩ１２Ｃを通じて選択できるようにすることである。
【図面の簡単な説明】
【００７１】
【図１】本実施の形態が適用される画像形成装置の全体構成を示す概略構成図である。
【図２】原稿読み取り装置を示した図である。
【図３】処理装置を説明するためのブロック図である。
【図４】図３に示す操作制御部及び図１に示す画像形成制御部を説明するためのブロック図である。
【図５】原稿を複写する際の処理手順を示すフローチャートである。
【図６】複写禁止画像を含む両面印刷原稿と両面印刷原稿を複写した複写物との関係を説明するための説明図である。
【図７】複写禁止画像を含む両面印刷原稿と両面印刷原稿を複写した複写物との関係を説明するための第１の変形例に係る説明図である。
【図８】複写禁止画像を含む両面印刷原稿と両面印刷原稿を複写した複写物との関係を説明するための第２の変形例に係る説明図である。
【図９】第３の変形例に係るＵＩの表示画面を説明するための説明図である。
【図１０】第４の変形例における追加の処理手順を示すフローチャートである。
【符号の説明】
【００７２】
１０…画像形成装置本体、１１…画像形成制御部、１２Ａ…原稿読み取り装置、１２Ｃ…ＵＩ、５０…原稿送り装置、８５…処理装置、８６…信号処理部、８７…操作制御部、８７１…複写禁止情報検出部、８７２…条件情報検出部、８７３…ページバッファ、８７４…判断部、８７５…バッファメモリ、８８…スキャン動作制御部、９０…スキャナ装置
【図１】
0004736760.tif 000002
【図２】
0004736760.tif 000003
【図３】
0004736760.tif 000004
【図４】
0004736760.tif 000005
【図５】
0004736760.tif 000006
【図６】
0004736760.tif 000007
【図７】
0004736760.tif 000008
【図８】
0004736760.tif 000009
【図９】
0004736760.tif 000010
【図１０】
0004736760.tif 000011